(57)【要約】【課題】  キャップ付きのディスポ針が設けられた注射器であっても、キャップを確実に外すことができ、注射行為を安全に補助できる注射器補助具を提供することを課題とする。【解決手段】  本発明は、注射器７２、ディスポ針７１、キャップ７０を一組にした注射器セット７を収容する収容部２と、キャップ７０を外す引き外し機構３とを備え、キャップ７０とディスポ針７１との間にはディスポ針７１を抜き差しする抜差方向で隙間Ｓが形成され、引き外し機構３は、キャップ７０の引抜方向後方からキャップ７０に係合するキャップ側係合部３０と、引抜方向前方からディスポ針７１に係合する針基側係合部３１とを備え、キャップ側係合部３０及び針基側係合部３１の少なくとも何れか一方は、キャップ側係合部３０と針基側係合部３１との間隔が抜差方向で広がるように前後方向に沿って移動可能である。【選択図】図５
2020062287.tif 000002
【特許請求の範囲】
【請求項１】
注射器と、先端側に針管が設けられ且つ基端側から該注射器のノズルを挿入可能なディスポ針と、該ディスポ針の先端側に対して抜差可能なキャップと、を一組にした注射器セットを収容する収容部と、
前記収容部に収容された前記注射器セットの前記ディスポ針から前記キャップを外す引き外し機構と、を備え、
前記キャップと前記ディスポ針との間には、前記ディスポ針を抜き差しする抜差方向で隙間が形成され、
前記引き外し機構は、
前記収容部に前記注射器セットが収容されている収容状態において前記隙間内で前記ディスポ針から前記キャップを引き抜く引抜方向で後方側から前記キャップに係合するキャップ側係合部と、
前記収容状態において前記隙間内で前記引抜方向で前方側から前記ディスポ針に係合する針基側係合部と、を備え、
前記キャップ側係合部及び前記針基側係合部の少なくとも何れか一方は、前記抜差方向における前記キャップ側係合部と前記針基側係合部との間隔が広がるように前記前後方向に沿って移動可能である、
注射器補助具。
【請求項２】
前記引き外し機構により前記ディスポ針から前記キャップが外された状態の前記注射器を前記引抜方向における後方側で受ける後壁部を備える、
請求項１に記載の注射器補助具。
【請求項３】
前記後壁部は、前記引き外し機構により前記ディスポ針から前記キャップが外された状態で、前記ディスポ針の針管が注射時の穿刺深さと一致又は略一致する長さだけ前記収容部から進出する位置で前記注射器を受けるように構成される、
請求項２に記載の注射器補助具。
【請求項４】
前記後壁部は、前記注射器のフランジ部を前記引抜方向における後方側から受けるように構成され、
前記引き外し機構により前記ディスポ針から前記キャップが外された状態で、前記フランジ部を前記後壁部に向けて押し付ける押操作部を備える、
請求項２又は請求項３に記載の注射器補助具。
【発明の詳細な説明】
【技術分野】
【０００１】
本発明は、注射行為を補助する注射器補助具に関する。
【背景技術】
【０００２】
従来から、予め注射液が充填されている注射器（所謂、プレフィルドシリンジ）を使用する注射行為を補助する器具が種々提供されており、例えば、特許文献１に開示されているような、注射器の小径部（所謂、ノズル）であって、針管が直接設けられている小径部に被せている針キャップを取り外せるように構成されたものが知られている。
【先行技術文献】
【特許文献】
【０００３】
【特許文献１】特開２０１６−１１６９０８号公報
【発明の概要】
【発明が解決しようとする課題】
【０００４】
ところで、注射器のなかには針管がノズルに直接設けられていないものもあり、この種の注射器には、先端側に針管が設けられ且つ基端側から該注射器のノズルを挿入可能なディスポーザブル注射針（以下、ディスポ針）と、該ディスポ針の先端側を抜差可能な針キャップとが組み付けられている。
【０００５】
上記従来の器具でディスポ針から針キャップを外そうとすると、針キャップとディスポ針との嵌合力がディスポ針とノズルとの嵌合力よりも強い場合、ノズルから針キャップと一緒にディスポ針が外れてしまうおそれがあるため、この種の注射器を使用する場合は、人手で針キャップをディスポ針から外す必要があり、安全性の面で問題があった。
【０００６】
そこで、本発明は、斯かる実情に鑑み、キャップ付きのディスポ針が設けられている注射器であっても、キャップを確実に外すことができ、注射行為を安全に補助できる注射器補助具を提供することを課題とする。
【課題を解決するための手段】
【０００７】
本発明の注射器補助具は、
注射器と、先端側に針管が設けられ且つ基端側から該注射器のノズルを挿入可能なディスポ針と、該ディスポ針の先端側に対して抜差可能なキャップと、を一組にした注射器セットを収容する収容部と、
前記収容部に収容された前記注射器セットの前記ディスポ針から前記キャップを外す引き外し機構と、を備え、
前記キャップと前記ディスポ針との間には、前記ディスポ針を抜き差しする抜差方向で隙間が形成され、
前記引き外し機構は、
前記収容部に前記注射器セットが収容されている収容状態において前記隙間内で前記ディスポ針から前記キャップを引き抜く引抜方向で後方側から前記キャップに係合するキャップ側係合部と、
前記収容状態において前記隙間内で前記引抜方向で前方側から前記ディスポ針に係合する針基側係合部と、を備え、
前記キャップ側係合部及び前記針基側係合部の少なくとも何れか一方は、前記抜差方向における前記キャップ側係合部と前記針基側係合部との間隔が広がるように前記前後方向に沿って移動可能である。
【０００８】
上記構成の注射器補助具によれば、注射器セットを収容部に収容した状態でキャップ側係合部及び針基側係合部の少なくとも何れか一方を前後方向に移動させると、キャップ側係合部と針基側係合部との間の間隔が広がるに伴い、キャップとディスポ針とが引き離され、ディスポ針からキャップが外れる。
【０００９】
また、ディスポ針には、前後方向における前方側から針基側係合部が係合するため、ノズルに対して引抜方向にディスポ針が前進してしまうことが防止され、これにより、ディスポ針がノズルから外れてしまうことも防止できる。
【００１０】
本発明の注射器補助具は、
前記引き外し機構により前記ディスポ針から前記キャップが外された状態の前記注射器を前記引抜方向における後方側で受ける後壁部を備える、ように構成されていてもよい。
【００１１】
かかる構成によれば、引き外し機構によりディスポ針からキャップが外された状態の注射器が、引抜方向における後方側で受ける後壁部によって受け止められるため、針管を患者に穿刺した際に注射器の位置が引抜方向とは反対側の方向に向かってずれてしまうことを抑えることができる。
【００１２】
本発明の注射器補助具において、
前記後壁部は、前記引き外し機構により前記ディスポ針から前記キャップが外された状態で、前記ディスポ針の針管が注射時の穿刺深さと一致又は略一致する長さだけ前記収容部から進出する位置で前記注射器を受けるように構成されていてもよい。
【００１３】
かかる構成によれば、収容部からの針管の進出量が穿刺する深さ分よりも短くなることを防止できる。
【００１４】
本発明の注射器補助具において、
前記後壁部は、前記注射器のフランジ部を前記引抜方向における後方側から受けるように構成され、
前記引き外し機構により前記ディスポ針から前記キャップが外された状態で、前記フランジ部を前記後壁部に向けて押し付ける押操作部を備える、
ようにしてもよい。
【００１５】
かかる構成によれば、引抜方向と引抜方向とは反対側の方向への注射器の移動を規制できるため、患者への針管の穿刺深さを安定させることができる。
【発明の効果】
【００１６】
以上のように、本発明の注射器補助具は、キャップ付きのディスポ針が設けられている注射器であっても、キャップを確実に外すことができ、注射行為を安全に補助できるという優れた効果を奏し得る。
【図面の簡単な説明】
【００１７】
【図１】図１は、本発明の一実施形態に係る注射器補助具の斜視図である。
【図２】図２は、同実施形態に係る注射器補助具の平面図である。
【図３】図３は、同実施形態に係る注射器補助具の内部の平面図である。
【図４】図４は、注射器セットの説明図である。
【図５】図５は、同実施形態に係る注射器補助具の使用状態の説明図であり、収容部に注射器セットを収容した状態の説明図である。
【図６】図６は、同実施形態に係る注射器補助具の使用状態の説明図であり、キャップ側爪部がキャップの開口端面に当接した状態の説明図である。
【図７】図７は、同実施形態に係る注射器補助具の使用状態の説明図であり、キャップ側爪部がキャップを押し進めている状態の説明図である。
【図８】図８は、同実施形態に係る注射器補助具の使用状態の説明図であり、ディスポ針からキャップが外れた状態の説明図である。
【発明を実施するための形態】
【００１８】
以下、本発明の一実施形態にかかる注射器補助具について、添付図面を参照しつつ説明する。本実施形態に係る注射器補助具は、予め注射液が充填されている注射器（所謂、プレフィルド注射器）を使用する注射行為を補助する器具である。
【００１９】
注射器補助具１は、図４に示すように、キャップ７０付きのディスポ針７１と、注射器７２とを一組にした注射器セット７を用いる注射行為を補助するように構成されている。
【００２０】
注射器７２は、内部に注射剤が充填されるバレル７２０と、バレル７２０内の注射剤を押し出すためのプランジャ７２１と、を備えている。
【００２１】
バレル７２０は、筒状部７２０ａと、筒状部７２０ａの軸線方向における一端（前端）に延設されるノズル７２０ｂと、筒状部７２０ａの軸線方向における他端（後端）に設けられるフランジ７２０ｃと、を有する。
【００２２】
ノズル７２０ｂは、筒状に形成されており、筒状部７２０ａよりも外径及び内径が小さくなっている。また、ノズル７２０ｂの内部と筒状部７２０ａの内部は互いにつながっている。
【００２３】
フランジ７２０ｃは、筒状部７２０ａの後端の外周面から径方向外方側に向けて延出しており、筒状部７２０ａの後端の周方向全周に亘って連続するように形成されている。なお、本実施形態では、フランジ７２０ｃにフィンガーグリップＦを装着している状態を前提に以下の説明を行うこととするが、フランジ７２０ｃにはフィンガーグリップＦが装着されていなくてもよい。
【００２４】
プランジャ７２１は、細長い軸状部７２１ａと、該軸状部７２１ａの長手方向における一端に設けられ、バレル７２０の内部に配置された状態で該バレル７２０の内周面全周に亘って密接するガスケット（図示しない）と、該軸状部７２１ａの長手方向における他端に設けられる押込操作部７２１ｂと、を有する。
【００２５】
ディスポ針７１は、ノズル７２０ｂに被せる針基部７１０と、該針基部７１０に設けられる針管７１１と、を備えている。
【００２６】
針基部７１０は、筒状であり、軸線方向における一端（基端）側にノズル７２０ｂを先端側から圧入できるように構成されている。そして、針基部７１０の軸線方向における他端（先端）側には針管７１１が設けられている。
【００２７】
また、針基部７１０の基端の外周面には、径方向外方に向かって延出し且つ周方向全周に亘って連続する鍔部７１０ａが形成されている。
【００２８】
キャップ７０は、筒状であり、軸線方向における一方側の開口に対して針基部７１０の先端側を圧入できるように構成されている。キャップ７０の一方側の開口に対して針基部７１０の先端側を圧入した状態においては、針管７１１がキャップ７０内に収容される。なお、キャップ７０の軸線方向における他方側の開口は閉塞されている。
【００２９】
また、キャップ７０に針基部７１０が圧入されている状態においては、キャップ７０自身の開口端面が鍔部７１０ａの前面に対向配置され、且つ該開口端面と鍔部７１０ａの前面との間に隙間Ｓが形成されるようになっている（図５参照）。
【００３０】
注射器補助具１は、図１に示すように、注射器セット７を収容する収容部２と、図３に示すように、収容部２に収容した状態の注射器セット７からキャップ７０を外す引き外し機構３と、該引き外し機構３によりキャップ７０が外された状態で注射器７２を位置決めする位置決め機構４と、引き外し機構３によりキャップ７０が外された状態で収容部２からの注射器７２の脱落を防止する脱落防止機構５と、引き外し機構３、位置決め機構４、脱落防止機構５のそれぞれを作動させる操作部６と、を備えている。
【００３１】
収容部２は、注射器セット７をバレル７２０の径方向で出し入れ可能となるように形成されている。なお、本実施形態では、収容部２内に配置されている注射器７２の軸線方向を前後方向と称して以下の説明を行うこととする。なお、前後方向とは、収容部２に収容されている注射器セット７のディスポ針７１をキャップ７０から引き抜く引抜方向及び該引抜方向とは反対側の方向の両方向に対応する方向である。
【００３２】
本実施形態に係る収容部２は、図２に示すように、前後方向に沿って細長く形成される胴部２０であって、注射時に使用者（注射を行う者）が握る部位である胴部２０と、胴部２０に設けられ且つ径方向で注射器セット７を受ける受止部２１と、前後方向において胴部２０の後端面（前後方向における後端面）２０２との間にフランジ７２０ｃを収容可能なスペースを形成するフランジ配置部２２と、を有する。
【００３３】
胴部２０には、外面上で開口し、且つ長手方向における全長に亘って連続する配置領域２００が形成されている。そのため、収容部２では、この配置領域２００に対して注射器セット７を径方向で出し入れ可能となっている。
【００３４】
なお、配置領域２００内に注射器セット７を収容した状態においては、キャップ７０及びキャップ７０内の針管７１１が胴部２０の前端面（前後方向における前端面）２０１から前後方向における前方に進出し、フランジ７２０ｃが胴部２０の後端面（前後方向における後端面）２０２よりも後方側に配置される。
【００３５】
受止部２１は、配置領域２００で前後方向に間隔をあけて並ぶようにして２つ設けられている。また、各受止部２１は、配置領域２００の開口方向とは反対側に向かって凹状（Ｕ字状）に湾曲しており、配置領域２００の開口側に向けて配置される内面も、胴部２０の内側に向けて配置される外面も、配置領域２００の開口方向とは反対側に向かって凹状に湾曲している。
【００３６】
フランジ配置部２２は、前後方向において胴部２０の後端面２０２との間に間隔をあけて該後端面２０２に対向する後壁部２２０を有する。前後方向における胴部２０の後端面２０２と後壁部２２０との間隔は、フィンガーグリップＦの厚み（フィンガーグリップＦがフランジ７２０ｃに取り付けられていない場合は、フランジ７２０ｃの厚み）よりも大きくなるように設定されている。なお、後壁部２２０には、配置領域２００が開口する方向と同方向において開口するように形成された凹部２２０ａが形成されている。
【００３７】
ここで、操作部６の説明を行うこととする。操作部６は、図３に示すように、胴部２０に対して回転可能に取り付けられたレバー部６０と、該レバー部６０に連設され且つ該胴部２０内でレバー部６０とともに回転するように構成された回転ベース部６１とを有する。
【００３８】
レバー部６０は、胴部２０内に軸支される基端部と、胴部２０外に配置される先端部と、を有する。
そのため、レバー部６０は、基端部の支持部分を起点とする回転により、胴部２０に対して押し倒された押倒姿勢と、収容部２に対してレバー部６０を引き起こされた引起姿勢とに切り替わるようになっている。
【００３９】
なお、本実施形態では、レバー部６０の姿勢を引起姿勢から押倒姿勢に切り替える操作を押倒操作、押倒姿勢から引起姿勢に切り替える操作を引起操作と称して以下の説明を行うこととする。また、本実施形態では、レバー部６０を押倒操作すると、引き外し機構３によるキャップ７０の引き外し機能、位置決め機構４による注射器７２の位置決め機能、脱落防止機構５による収容部２からの注射器７２の脱落の防止機能を発揮させるように構成されている。
【００４０】
引き外し機構３は、図５に示すように、収容部２に注射器セット７が収容されている収容状態において隙間Ｓ内で前後方向における後方側からキャップ７０に係合するキャップ側係合部３０と、収容状態において隙間Ｓ内で前方側からディスポ針７１（ディスポ針７１の鍔部７１０ａ）に係合する針基側係合部３１と、レバー部６０の回転動作に連動させてキャップ側係合部３０を前後方向に移動させるための駆動伝達部３２と（図３参照）、を備えている。
【００４１】
キャップ側係合部３０は、配置領域２００内に配置され、且つ前後方向対して直交する横幅方向において間隔をあけて並ぶ一対のキャップ側爪部３００を有する。
【００４２】
針基側係合部３１は、配置領域２００内においてキャップ側爪部３００よりも前後方向における後方側に配置され、且つ横幅方向において間隔をあけて並ぶ一対の針基側爪部３１０を有する。
【００４３】
一対のキャップ側爪部３００と、一対の針基側爪部３１０とは、針基部７１０からキャップ７０を外す際に前後方向での互いの間の間隔が広がるように構成されており、本実施形態では、一対の針基側爪部３１０に対して一対のキャップ側爪部３００を前進させることで、間隔が広がるように構成されている。
【００４４】
駆動伝達部３２は、図３に示すように、レバー部６０の押倒操作若しくは引起操作に伴って前後方向に沿って移動する可動部３２０と、該可動部３２０と回転ベース部６１とを連結する連結部３２１と、を有する。
【００４５】
可動部３２０は、受止部２１の外面に沿って配置領域２００の開口方向とは反対側に向かって凹状（Ｕ字状）に湾曲する湾曲面を有し、該湾曲面が受止部２１の外面に重ねて配置されている。
【００４６】
そのため、可動部３２０は、レバー部６０が押倒操作若しくは引起操作されたときに、受止部２１の外面によって前後方向にガイドされながら移動するように構成されている。また、可動部３２０の前端には、一対のキャップ側爪部３００が立設されているため、可動部３２０の前後方向での進退に伴い、一対のキャップ側爪部３００が一対の針基側爪部３１０に対して接離するように構成されている。
【００４７】
なお、可動部３２０は、胴部２０内に配置されている付勢手段３３（圧縮コイルバネ）により前後方向における後方側に向けて常に付勢されている。
【００４８】
連結部３２１の上面には、径方向で起立する連結軸３２１ａが形成されており、該連結軸３２１ａは、回転ベース部６１に形成されている長孔６１０に挿通されており、回転ベース部６１が回転した際に、連結部３２１及び連結部３２１に繋がる可動部３２０が前後方向に沿って移動するように構成されている。
【００４９】
位置決め機構４は、レバー部６０が押倒操作されたときに、注射器セット７を前後方向における後方側に向けて押し操作する押操作部４０と、該押操作部４０によって該後方側に向けて押し操作されている注射器セット７を前後方向で受ける受壁部４１と、を有する。なお、本実施形態では、受壁部４１が後壁部２２０により構成されている。
【００５０】
押操作部４０は、レバー部６０から前後方向における後方側に向かって突出する突出部により形成されており、レバー部６０が押倒姿勢に切り替えられている状態においては、胴部２０の後端面２０２と受壁部４１との間に配置されるように構成されている。
【００５１】
これにより、押操作部４０は、レバー部６０が押倒姿勢に切り替えられた状態で、フィンガーグリップＦを前後方向における後方側に向けて押し操作する。
【００５２】
また、本実施形態では、上述のように、前後方向における胴部２０の後端面２０２と後壁部２２０との間隔がフィンガーグリップＦの厚みよりも大きくなるように設定されているため、押操作部４０にフィンガーグリップＦが押し操作されると、注射器セット７の位置が前後方向における後方側にずれてフィンガーグリップＦが受壁部４１（後壁部２２０）の前面に当接する。これにより、フィンガーグリップＦが押操作部４０と受壁面部４１（後壁部２２０）とによって保持（挟持）されるように構成されている。
【００５３】
脱落防止機構５は、２つの受止部２１の間から配置領域２００内に対して進退可能に構成されている。また、脱落防止機構５は、注射器セット７が配置されている状態の配置領域２００内に進出すると、該注射器セット７上（注射器セット７よりも配置領域２００の開口側）に配置されるように構成されている。そのため、注射器セット７と配置領域２００の開口との間が部分的に脱落防止機構５によって遮られることで、注射器セット７の配置領域２００内からの脱落が防止される。
【００５４】
本実施形態に係る脱落防止機構５は、回転ベース部６１に対して立設されており、レバー部６０を押倒操作すると、該レバー部６０とともに回転して２つの受止部２１の間から配置領域２００内に進出し、レバー部６０を引起操作すると、該レバー部６０とともに回転して２つの受止部２１の間を通じて配置領域２００外に退避するように構成されている。
【００５５】
本実施形態に係る注射器補助具１は、以上の構成である。続いて、注射器補助具１の使用方法について説明する。
【００５６】
注射器補助具１は、収容部２に注射器セット７を収容した後にレバー部６０を押倒操作することによって、引き外し機構３によるキャップ７０の引き外し機能、位置決め機構４による注射器７２の位置決め機能、脱落防止機構５による収容部２からの注射器７２の脱落の防止機能を発揮させる。
【００５７】
図５に示すように、注射器セット７が径方向で胴部２０の配置領域２００内に配置されると、２つの受止部２１により、バレル７２０の外周面が受け止められ、胴部２０の後端面２０２と後壁部２２０との間にはフランジ７２０ｃ（フィンガーグリップＦ）が配置され、凹部２２０ａ内にはプランジャ７２１の軸状部７２１ａが配置される。また、キャップ７０の先端側と、キャップ７０内の針管７１１の先端部側とは、胴部２０の前端面２０１から前方に進出した状態になっている。
【００５８】
このとき、注射器補助具１には、注射器セット７には、の前後方向での動き代が形成される。より具体的に説明すると、胴部２０の後端面２０２から受壁部４１（受壁部４１の前面）までの距離がフィンガーグリップＦの厚み（前後方向での寸法）よりも大きくなっており、また、針基側爪部３１０の後端面からキャップ側爪部３００の前端面までの距離が鍔部７１０ａの前面からキャップ７０の開口端面までの距離よりも小さくなっているため、注射器セット７の前後方向での動き代が生まれる。
【００５９】
そして、図６に示すように、レバー部６０を押倒操作し始めると、キャップ側爪部３００が針基側爪部３１０に離間して前進し、該キャップ側爪部３００がキャップ７０の開口端面に当接する。
【００６０】
さらに、レバー部６０を押倒操作し続けると、キャップ側爪部３００によってキャップ７０の開口端面が前方側に向けて押されることで、注射器セット７全体が前方に移動するが、図７に示すように、鍔部７１０ａが針基側爪部３１０に当接するため、注射器セット７の前方側への移動が止まる。
【００６１】
さらに、レバー部６０を押倒操作すると、鍔部７１０ａが針基側爪部３１０に当接しているためディスポ針７１は針基側爪部３１０によってその場に引き留められたまま、キャップ側爪部３００がキャップ７０を押しながら前進する。
【００６２】
また、キャップ側爪部３００がキャップ７０を押しながら前進する過程で、押操作部４０がフィンガーグリップＦに干渉するため、キャップ側爪部３００がキャップ７０を前方に向け進める一方で、注射器７２とディスポ針７１とが押操作部４０により後方に引き寄せられ、ディスポ針７１からキャップ７０が外れる。
【００６３】
ディスポ針７１からキャップ７０が外れた時点においては、図８に示すように、押操作部４０によってフィンガーグリップＦが受壁部４１に押し付けられるため、フィンガーグリップＦが押操作部４０と受壁部４１とに挟持され、これにより、注射器７２及びディスポ針７１の前後方向での移動が規制される。
【００６４】
また、注射器７２とディスポ針７１の後退に伴い、針管７１１が、穿刺深さに必要な分だけ胴部２０の前端面２０１から進出した状態になるため、使用者が胴部２０を握り、該胴部２０の前端面２０１を注射箇所に押し付けることで針管７１１を所定の穿刺深さまで到達させることができる。そして、プランジャ７２１を押し操作すれば、注射剤を投与することができる。
【００６５】
以上のように、本実施形態に係る注射器補助具１は、注射器セット７を収容部２に収容した状態でキャップ側係合部３０及び針基側係合部３１の少なくとも何れか一方を前後方向に移動させると、キャップ側係合部３０と針基側係合部３１との間の間隔が広がるに伴い、キャップ７０とディスポ針７１とが引き離され、ディスポ針７１からキャップ７０が外れる。
【００６６】
また、ディスポ針７１には、前後方向における前方側から針基側係合部３１が係合するため、ノズル７２０ｂと離間してキャップ７０と一緒にディスポ針７１が前進してしまうことが防止され、これにより、ディスポ針７１がノズル７２０ｂから外れてしまうことも防止できる。
【００６７】
従って、注射器補助具１は、キャップ７０付きのディスポ針７１が設けられている注射器７２であっても、キャップ７０を確実に外すことができ、注射行為を安全に補助できるという優れた効果を奏し得る。
【００６８】
また、引き外し機構３によりディスポ針７１からキャップ７０が外された状態の注射器７２を、前後方向における後方側から受ける後壁部２２０を備えるため、後ろ側への移動が規制され引き外し機構３によりディスポ針７１からキャップ７０が外された状態の注射器７２が、前後方向における後方側で後壁部２２０によって受け止められるため、針管７１１を患者に穿刺した際に注射器７２の位置が前後方向における後方側にずれてしまうことを抑えることができる。
【００６９】
さらに、本実施形態では、フランジ７２０ｃを後壁部２２０に向けて押し付ける押操作部４０を備えるため、前後方向の両側への注射器７２の移動を規制でき、これにより、患者への針管７１１の穿刺深さを安定させることができる。
【００７０】
また、本実施形態では、キャップ側爪部３００でキャップ７０を押し進めている最中に注射器７２ごとディスポ針７１が前後方向における後方側に引き寄せられるため、キャップ７０がディスポ針７１から外れ易くなる。
【００７１】
そして、注射器７２ごとディスポ針７１が前後方向における後方側に引き寄せてフィンガーグリップＦを後壁部２２０に押し付けた状態においては、ディスポ針７１の針管７１１が注射時の穿刺深さと一致又は略一致する長さだけ収容部２から進出する位置で注射器７２を受けるように構成されているため、収容部２からの針管７１１の進出量が穿刺する深さ分よりも短くなることを防止することもできる。
【００７２】
なお、本実施形態に係る注射器補助具１は、上記一実施形態に限定されるものではなく、本発明の要旨を逸脱しない範囲において種々変更を行うことは勿論である。
【００７３】
上記実施形態では、一対のキャップ側爪部３００を前進させることにより、一対の針基側爪部３１０との間の隙間を広げるように構成されていたが、この構成に限定されない。例えば、一対のキャップ側爪部３００と一対の針基側爪部３１０との間の隙間Ｓを広げることができれば、例えば、一対のキャップ側爪部３００に対して一対の針基側爪部３１０を後退させたり、一対のキャップ側爪部３００と一対の針基側爪部３１０とを前後方向で互いに離間する方向に移動させたりしてもよい。
【００７４】
上記実施形態では、注射器セット７を収容部２に収容した状態で、キャップ側爪部３００とキャップ７０の開口端面との間、針基側爪部３１０と鍔部７１０ａとの間には隙間が生じるように構成されていたが、この構成に限定されない。例えば、注射器セット７を収容部２に収容した状態で、キャップ側爪部３００とキャップ７０の開口端面との間、針基側爪部３１０と鍔部７１０ａとの間には隙間が生じないように構成されていてもよい。但し、注射器セット７のキャップ７０の開口端面と鍔部７１０ａとの間の隙間Ｓの大きさや位置には、製品の違いやキャップ７０をディスポ針７１に取り付けたときの状況により差異が生じることがあるため、注射器セット７を収容部２に収容した状態で、キャップ側爪部３００とキャップ７０の開口端面との間、針基側爪部３１０と鍔部７１０ａとの間には隙間が生じるように構成している方が、注射器セット７を収容部２に収容し易くなる。
【００７５】
上記実施形態において、操作部６はレバー式であったが、この構成に限定されない。例えば、操作部６は押しボタン式のものであってもよい。
【００７６】
上記実施形態では、キャップ側爪部３００でキャップ７０を押し進めている最中に注射器７２ごとディスポ針７１が前後方向における後方側に引き寄せられるように構成されていたが、この構成に限定されない。例えば、キャップ側爪部３００でキャップ７０を押し進めている最中においては、注射器７２とディスポ針７１の前後方向における後方側への移動が規制されていてもよい。
【００７７】
なお、前後方向における胴部２０の後端面２０２と後壁部２２０との間隔をフィンガーグリップＦの厚み（フィンガーグリップＦがフランジ７２０ｃに取り付けられていない場合は、フランジ７２０ｃの厚み）と略同じにする場合は、収容部２に注射器セット７を入れた時点でフィンガーグリップＦ若しくはフランジ７２０ｃが胴部２０の後端面２０２と後壁部２２０とに挟持されることにより、注射器セット７の前後方向での移動が規制される。
【００７８】
また、押操作部４０を、注射器セット７を前後方向における前方側に向けて押し操作するように構成する場合は、フィンガーグリップＦ若しくはフランジ７２０ｃが胴部２０の後端面２０２と押操作部４０とで挟持されることにより、注射器セット７の前後方向での移動が規制される。
【符号の説明】
【００７９】
１…注射器補助具、２…収容部、３…引き外し機構、４…位置決め機構、５…脱落防止機構、６…操作部、７…注射器セット、２０…胴部、２１…受止部、２２…フランジ配置部、３０…キャップ側係合部、３１…針基側係合部、３２…駆動伝達部、３３…付勢手段、４０…押操作部、４１…受壁部、６０…レバー部、６１…回転ベース部、７０…キャップ、７１…ディスポ針、７２…注射器、２００…配置領域、２２０…後壁部、２２０ａ…凹部、３００…キャップ側爪部、３１０…針基側爪部、３２０…可動部、３２１…連結部、３２１ａ…連結軸、６１０…長孔、７１０…針基部、７１０ａ…鍔部、７１１…針管、７２０…バレル、７２０ａ…筒状部、７２０ｂ…ノズル、７２０ｃ…フランジ、７２１…プランジャ、７２１ａ…軸状部、７２１ｂ…押込操作部、Ｆ…フィンガーグリップ、Ｓ…隙間
【図１】
2020062287.tif 000003
【図２】
2020062287.tif 000004
【図３】
2020062287.tif 000005
【図４】
2020062287.tif 000006
【図５】
2020062287.tif 000007
【図６】
2020062287.tif 000008
【図７】
2020062287.tif 000009
【図８】
2020062287.tif 000010